(57)【要約】【課題】植立穀稈を圃場条件に関係なく良好に分草できると共に、泥溜まりや穀稈の引っ掛かりがないコンバインの分草装置を提供する。【解決手段】引起装置（１２）より前側に分草具（１０）を設け、該分草具（１０）の先端部に前方下方に突出する補助分草具（２０）を固定具（２１，２２）を介して着脱自在に取り付けると共に、該補助分草具（２０）を、鉛直方向の平板部材で形成した本体部（２０ａ）と、前記分草具（１０）の先端部前方及び、前記固定具（２１，２２）の前方を覆うカバー部（２０ｂ）とから構成したことを特徴とするコンバインの分草装置。【選択図】図３
2007074904.tif 000002
【特許請求の範囲】
【請求項１】
引起装置（１２）より前側に分草具（１０）を設け、該分草具（１０）の先端部に前方下方に突出する補助分草具（２０）を固定具（２１，２２）を介して着脱自在に取り付けると共に、該補助分草具（２０）を、鉛直方向の平板部材で形成した本体部（２０ａ）と、前記分草具（１０）の先端部前方及び、前記固定具（２１，２２）の前方を覆うカバー部（２０ｂ）とから構成したことを特徴とするコンバインの分草装置。
【請求項２】
本体部（２０ａ）の前側上部を、穀稈をすくい起こす傾斜部（２０ｄ）に形成し、カバー部（２０ｂ）を、前記傾斜部（２０ｄ）の上端に連なって後上がり姿勢で設けたことを特徴とする請求項１に記載のコンバインの分草装置。
【発明の詳細な説明】
【技術分野】
【０００１】
本発明は、引起装置より前側に分草具を設けたコンバインの分草装置に関する。
【背景技術】
【０００２】
従来、コンバイン等の刈取収穫機の分草構造において、湿田での刈取作業時には機体の沈み込みの影響があるため、乾田での刈取作業時よりも刈取前処理装置を本機側に対して上方位置させることになり、そのとき分草具は刈取前処理装置の前端に設けてある関係上先端側が水平よりも上方に向き易いので、分草具をそのような湿田でも適正な姿勢に補正できるように上下揺動自在かつ姿勢固定自在に設けたものが知られている（例えば、特許文献１参照。）。
また、分草杆と分草カバーとを具備する分草装置を設けた収穫機において、前記分草杆の先端部をそり状に形成することで圃場面への突っ込みを防止しながら刈取作業を行えると共に、更にその先端部に穀稈すくい起し体を装脱自在に装着できる構成として、倒伏した穀稈を刈り取る場合には前記穀稈すくい起こし体により前記そり状部分の下面に穀稈がもぐり込むのを防止しながら確実に穀稈をすくい起こして分草できるようにしたものがあった（例えば、特許文献２参照。）。
【特許文献１】特開２０００−２６２１３２号公報
【特許文献２】実開昭５６−１２９３９号公報
【発明の開示】
【発明が解決しようとする課題】
【０００３】
しかしながら、特許文献１のものは、湿田での刈取作業時に分草具を横支点回りで下方に揺動させると分草具と茎稈引起し装置との間に隙間ができるから、その隙間部分で穀稈を案内するものがなく搬送が乱れる課題があった。
また、特許文献２のものは、湿田での刈取作業に対応したものでないから、機体が沈み込む湿田での刈取作業時に、刈取部を上方位置させた場合に穀稈すくい起し体が圃場面から離れて穀稈がすくい起こせない課題があった。また、特許文献２の穀稈すくい起し体は上面側に開口部を有する袋状となっているから、湿田での刈取作業時に泥が溜まり易く、更に穀稈すくい起し体のセットボルトに穀稈等が引っ掛かる課題があった。
本発明の目的は、上記従来の課題を解決する点にある。
【課題を解決するための手段】
【０００４】
上記目的を達成するため、請求項１に記載の発明は、引起装置（１２）より前側に分草具（１０）を設け、該分草具（１０）の先端部に前方下方に突出する補助分草具（２０）を固定具（２１，２２）を介して着脱自在に取り付けると共に、該補助分草具（２０）を、鉛直方向の平板部材で形成した本体部（２０ａ）と、前記分草具（１０）の先端部前方及び、前記固定具（２１，２２）の前方を覆うカバー部（２０ｂ）とから構成したことを特徴とする。
また、請求項２に記載の発明は、本体部（２０ａ）の前側上部を、穀稈をすくい起こす傾斜部（２０ｄ）に形成し、カバー部（２０ｂ）を、前記傾斜部（２０ｄ）の上端に連なって後上がり姿勢で設けたことを特徴とする。
【発明の効果】
【０００５】
従って、本発明の請求項１に係る構成によれば、分草具（１０）に補助分草具（２０）を着脱自在に取り付けたから、湿田や乾田等の圃場条件に関係なく確実に穀稈をすくい起こして分草することができると共に、分草具（１０）と引起装置（１２）との位置関係が変わらないから搬送が乱れることがない。また、補助分草具（２０）の本体部（２０ａ）
を鉛直方向の平板部材で形成したから泥が溜まり難く、更に補助分草具（２０）のカバー部（２０ｂ）で分草具（１０）の先端前方及び、固定具（２１，２２）の前方を覆ったから穀稈等の引っ掛かりを防止できる。
また、本発明の請求項２に係る構成によれば、本体部（２０ａ）の前側上部を、穀稈をすくい起こす傾斜部（２０ｄ）に形成し、カバー部（２０ｂ）を、前記傾斜部（２０ｄ）の上端に連なって後上がり姿勢で設けたから、補助分草具（２０）の下端が湿田に突っ込んでも抵抗が少なく、カバー部（２０ｂ）に穀稈が引っ掛からない。
【発明を実施するための最良の形態】
【０００６】
以下、図面に基づき本発明の実施の形態を説明する。
図１は、コンバインの右側面図であり、該コンバイン１は、左右一対のクローラ走行装置２により支持されている走行機体３を有し、該走行機体３の左右一側には座席シート４や機体の操向操作および前処理部８の昇降操作を行うマルチステアリングレバー５等を有する運転席６と、その後方にグレンタンク７が配置されている。また、走行機体３の左右他側には、脱穀部が配設され、更に走行機体３の前方には、前処理部８が昇降自在に配設されている。
【０００７】
前記運転席６の後部には、エンジンルームを覆うエンジンカバー９が設けられていて、コンバイン１はエンジンの動力により前述した前処理部８及び脱穀部に動力が伝達され、刈取り、脱穀作業が行われると共に、トランスミッションを介してクローラ走行装置２にも動力が伝達されて機体が走行する。
【０００８】
前記前処理部８は、穀稈を分草する分草具１０、穀稈が機体に引っ掛からないように案内するナローガイド１１、穀稈を引き起こす引起装置１２、引き起こされた穀稈の株元を切断する刈刃１３及び、刈られた穀稈を後方へ搬送する穀稈搬送装置等を有し、この前処理部８にて刈取搬送された穀稈は脱穀部のフィードチェーンに引継がれ、更に該脱穀部内で脱穀・選別され、該選別された穀粒は前記グレンタンク７に移送されて一時的に貯蔵される。グレンタンク７に貯蔵された穀粒は、オーガ１４の先端に設けられた排出口１５から機外に排出される。
【０００９】
１６は前処理部８の伝動ケースで、該伝動ケース１６はその後端の横軸心を支点として前側が揺動自在となるように走行機体３に支持されており、よって、前処理部８は前記横軸心を支点として走行機体３に昇降揺動自在に支持されている。また、伝動ケース１６には機体前方に向けて複数の分草杆１７が延設されている。該分草杆１７の前部には連結ボルト１８を介して前記分草具１０が連結されると共に、該分草具１０に形成されたボルト取付孔１９は長孔となっており、分草具１０は分草杆１７に対して取付位置が上下調節可能な構成となっている。
【００１０】
図２は、湿田での刈取作業状態を示す、本発明が適用されたコンバインの右側面図である。
湿田で刈取作業を行う場合は、クローラ走行装置２が地表Ｓより沈み込んでしまうので、前処理部８を乾田での刈取作業における通常の刈取高さより高い位置に上げて刈取作業を行うが、ある程度以上沈み込んでしまうと、分草具１０が接地するより先に刈刃１３が接地して前処理部８をそれ以上下げることができなくなり、分草具１０が地表Ｓから大きく離れてしまう問題があった。即ち、前処理部８は後方の横軸心を支点に上昇揺動する為に、刈刃１３が先に接地すると分草具１０は前処理部８の前端に設けてある関係上地表Ｓから離れてしまい、倒伏した穀稈をすくい上げることが困難であった。
そこで、本願発明では、分草具１０の先端下部に、図２に示されるように該分草具１０を前斜め下方へ延長するような補助分草具２０を着脱自在に取り付けれる構成となっている。
【００１１】
図３〜５に示されるように、前記補助分草具２０は、折り曲げ加工のない１枚の平板部材で形成された本体部２０ａと、平板部材を折り曲げ加工して形成されたカバー部２０ｂが一体的に溶着されて構成されており、本体部２０ａに形成された取付孔２０ｃによりボルト２１（固定具）及びナット２２（固定具）を介して着脱自在に取り付けられる。
【００１２】
前記補助分草具２０のカバー部２０ｂは、本体部２０ａの傾斜部２０ｄですくい起こした穀稈がそのままスムーズに分草具１０側へ流れるように、その前端部が傾斜部２０ｄより突出しないと共に、穀稈が分草具１０の先端やボルト２１及びナット２２に引っ掛からないようにカバーする構成となっている。具体的にはカバー部２０ｂは、側面視において分草具１０の先端部より前方で、分草具１０の傾斜に沿って後上がり姿勢で配置されると共に、その前端が分草具１０の先端下部と略同じ高さまで延設されているから、分草具１０やボルト２１及びナット２２の前方がカバー部２０ｂで覆われて前方からの穀稈の引っ掛かりが防止される。そして、平面視においては、分草具１０の先端やボルト２１及びナット２２がカバー部２０ｂ内に隠れるように構成されているから穀稈の引っ掛かりが防止される。
また、側面視において、カバー部２０ｂの傾斜に対して傾斜部２０ｄを若干急傾斜に形成することにより、同傾斜にしたものより本体部２０ａの全長を短くした構成となっている。
【００１３】
以上の構成により、引起装置１２より前側に分草具１０を設け、該分草具１０の先端部に前方下方に突出する補助分草具２０を固定具２１，２２を介して着脱自在に取り付けると共に、該補助分草具２０を、鉛直方向の平板部材で形成した本体部２０ａと、前記分草具１０の先端部前方及び、前記固定具２１，２２の前方を覆うカバー部２０ｂとから構成したから、乾田で刈取作業を行う場合は図１に示されるように補助分草具２０を外して刈取作業を行い、湿田で刈取作業を行う場合は図２に示されるように分草具１０が圃場の地表Ｓから離れるので補助分草具２０を取り付けて刈取作業を行うようにして、補助分草具２０を圃場に合わせて着脱することにより、乾田や湿田等の圃場条件に関係なく分草装置を地表Ｓに沿わすことができ、確実に穀稈をすくい起こして分草することができると共に、分草具１０と引起装置１２との位置関係が変わって隙間ができることがないから、分草装置から引起装置１２へ穀稈をスムーズに案内することができる。また、補助分草具２０の本体部２０ａを鉛直方向の平板部材で形成したから泥が溜まり難く、更に補助分草具２０のカバー部２０ｂで分草具１０の先端前方及び、固定具２１，２２の前方を覆ったから、前方から来る穀稈等が分草具１０の先端や固定具２１，２２に引っ掛かり難い。
また、本体部２０ａの前側上部を、穀稈をすくい起こす傾斜部２０ｄに形成し、カバー部２０ｂを、前記傾斜部２０ｄの上端に連なって後上がり姿勢で設けたから、補助分草具２０の下端が湿田に突っ込んでも本体部２０ａのみが圃場に刺さるので抵抗が少なく、また、カバー部２０ｂの前端に穀稈が引っ掛からずスムーズに流れる。
【図面の簡単な説明】
【００１４】
【図１】コンバインの右側面図である。
【図２】湿田での刈取作業状態を示すコンバインの右側面図である。
【図３】分草装置を示す側面図である。
【図４】同上平面図である。
【図５】補助分草具を示す側面図及び正面図である。
【符号の説明】
【００１５】
１０    分草具
１２    引起装置
２０    補助分装具
２０ａ  本体部
２０ｂ  カバー部
２１    ボルト（固定具）
２２    ナット（固定具）
【図１】
2007074904.tif 000003
【図２】
2007074904.tif 000004
【図３】
2007074904.tif 000005
【図４】
2007074904.tif 000006
【図５】
2007074904.tif 000007